(57)【要約】【課題】ストレートタイプの携帯電話のように、同一面にキー操作部と表示部とを配した携帯電話において、防塵を行うようにすること。【解決手段】同一面にキー操作部１１と表示部１２とを配した携帯電話１において、携帯電話１の表示部１２表示された表示画像を視認可能な材料により形成されたカバー１３を、携帯電話１のキー操作部１１を覆う位置と、キー操作部１１を開放して表示部１２を覆う位置と、を選択的に移動するように、前記携帯電話１の筐体１０に回動軸１４によって回動自在に軸支して設けた。【選択図】図１
2007318304.tif 000002
【特許請求の範囲】
【請求項１】
同一面にキー操作部と表示部とを配した携帯電話において、
前記表示部に表示された表示画像を視認可能な材料により形成され、前記キー操作部を覆う位置と、該キー操作部を開放して該表示部を覆う位置と、を選択的に移動するカバーを、前記携帯電話の筐体に設けたことを特徴とする携帯電話。
【請求項２】
前記カバーは、一端を前記筐体に回動軸によって回動自在に軸支されていることを特徴とする請求項１に記載の携帯電話。
【請求項３】
前記カバーは前記表示部上に位置した状態で該表示部に表示された表示画像を拡大するレンズ面を有することを特徴とする請求項１又は請求項２に記載の携帯電話。
【請求項４】
前記カバーは前記表示部上に位置した状態で該表示部に表示された表示画像を視認可能なハーフミラーで形成されていることを特徴とする請求項１ないし請求項３のいずれか１項に記載の携帯電話。
【発明の詳細な説明】
【技術分野】
【０００１】
本発明は、同一面にキー操作部と表示部とを配した携帯電話において、防塵対策を施した携帯電話に関するものであり、特に、防塵のためカバーを携帯電話の筐体に設け、このカバーを、表示部に表示された表示画像を視認可能な材料により形成し、前記キー操作部を覆う位置と該キー操作部を開放して該表示部を覆う位置とを選択的に移動するように携帯電話の筐体に設けた携帯電話に関するものである。
【背景技術】
【０００２】
近年の情報処理技術、通信技術の発展に伴い種々の携帯型の情報通信端末装置（以下、携帯端末装置という）が広く普及している。このような携帯端末装置は、利用者が外出先からインターネットなどのネットワークを介して種々サービスを提供する情報配信サーバや所望のウェブサイトに接続して当該サービスを受け、あるいは情報を取得したり、自社のネットワークに接続したりして業務上必要な情報を取得することができる。
【０００３】
最近では、携帯電話のハード、ソフト機能が充実し、従来の携帯端末装置の機能を兼ねるようになってきており、携帯電話の普及率の拡大にはめざましいものがある。携帯電話を利用したデータ通信サービスを提供する事業者も増加しており、携帯電話を利用してバンキング、インターネット販売、ナビゲーション、交通機関やコンビニエンスストアなどの代金決済など様々なサービスを受けることができるようになってきている。特に携帯電話においては種々のオプションやアプリケーションが搭載可能であり、利用できるサービスの種類も豊富になってきている。
【０００４】
このような携帯電話は、例えば、下記の特許文献１（特開２００３−１１０６７５号公報）に開示されている。この特許文献１に開示された携帯電話は、テンキーを具えた本体に対し、表示部及びソフトキーを具えた蓋体がスライド可能に配備されたものである。そして、本体と蓋体とはフレキシブル基板によって電気的に接続されている。このような構成の携帯電話は、蓋体をテンキー上にスライドして位置させ、全体を小さくした状態で表示部に現れる情報を見ることができる利点を有する。一方、テンキー操作を行うときには蓋体をスライドしてテンキーを露出させればよい。
【０００５】
また、同じくスライド式のカバーを有する従来の他の携帯電話は、下記の特許文献２（特開２００１−１１９４６７号公報）に開示されている。この特許文献２に開示された携帯電話は、テンキーからなるキー操作部、スクロールキー、表示部等が設けられている筐体にスライドカバーが設けられている。そして、スライドカバーは表示部、スクロールキー等を除くキー操作部を閉じたり開いたりするようにスライドする。
【０００６】
スライドカバーの外表面には、通話開始キー、通話終了キー、ワンタッチダイヤルキーのようにキー操作部を用いることなく表示部、スクロールキーとの組み合わせで操作可能なキーが設けられている。また、スライドカバーがキー操作部を開閉したことを検知する手段を設け、スライドカバーが閉じているときに、スライドカバー上のキーを押圧すると直下のテンキーが押圧されて所定の動作結果が得られるようになっている。
【０００７】
従って、スライドカバーを閉じて全体を小さくした状態で表示部を見ながらキー操作部を用いない操作を行うことができる。一方、キー操作を必要とするときには、スライドカバーを開いてキー操作部を露出させればよい。
【特許文献１】特開２００３−１１０６７５号公報（段落［０００３］、段落［０００４］、段落［０００８］）
【特許文献２】特開２００１−１１９４６７号公報（段落［００１４］〜段落［００１６］、段落［００２９］）
【発明の開示】
【発明が解決しようとする課題】
【０００８】
しかしながら、上述した従来技術は、携帯電話の操作面を２分割にして一方の部分でテンキー操作部分を覆うことにより全体の大きさを小さくするものであって、携帯電話の大きさが一定である、いわゆるストレート型に適用されるカバーについての技術は存在しなかった。
そこで、本発明は、ストレート型のように同一面にキー操作部と表示部を配した携帯電話にカバーを設けて防塵を行うようにしたストレート型の携帯電話を提供することを目的とする。
【課題を解決するための手段】
【０００９】
前記課題を解決するために、本願の請求項１にかかる発明は、
同一面にキー操作部と表示部とを配した携帯電話において、
前記表示部表示された表示画像を視認可能な材料により形成され、前記キー操作部を覆う位置と、該キー操作部を開放して該表示部を覆う位置と、を選択的に移動するカバーを、前記携帯電話の筐体に設けたことを特徴とする。
【００１０】
また、本願の請求項２にかかる発明は、請求項１にかかる携帯電話において、カバーは、一端を前記筐体に回動軸によって回動自在に軸支されていること特徴とする。
【００１１】
また、本願の請求項３にかかる発明は、請求項１又は請求項２にかかる携帯電話において、前記カバーは前記表示部上に位置した状態で該表示部に表示された表示画像を拡大するレンズ面を有することを特徴とする。
【００１２】
また、本願の請求項４にかかる発明は、請求項１ないし請求項３の何れかにかかる携帯電話において、前記カバーは前記表示部上に位置した状態で該表示部表示された表示画像を視認可能なハーフミラーで形成されていることを特徴とする。
【発明の効果】
【００１３】
本発明は、上述した解決手段により以下に述べる通りの優れた効果を奏する。
【００１４】
請求項１にかかる発明においては、携帯電話のキー操作を行わないときには、前記キー操作部を前記カバーで覆うことにより防塵効果を得ることができる。そして、キー操作を行うときには、前記カバーを前記キー操作部から前記表示部に移動することにより該キー操作部を露出して操作を可能とするので、前記カバーが筐体から突出することがなく携帯電話のキー操作の邪魔にならない。また、前記カバーで覆われた前記表示部は該カバーを通して表示画像を視認できるので表示の内容を監視しながらキー操作を行うことができるようになる。
【００１５】
また、請求項２にかかる発明においては、請求項１にかかる携帯電話において、前記カバーは回動操作を行うことによって前記キー操作部と前記表示部との間を移動させることができるので取扱いが簡単である。また、その構成は前動軸で軸支するだけの簡単なものとすることができるようになる。
【００１６】
また、請求項３にかかる発明においては、請求項１又は請求項２にかかる携帯電話において、前記表示部に表示された表示画像は前記カバーのレンズ面によって拡大されるので、視力の低い者、老眼の度合いの強い者にとって見やすくなる。特に、携帯電話自体が小型化され表示部が小さくなっている趨勢にあり、その効果は著しい。また、前記表示部の表示を拡大してみる必要があるときは、積極的に前記表示部を前記カバーにより覆うことでその目的を達成できる。
【００１７】
また、請求項４にかかる発明においては、請求項１ないし請求項３のいずれかにかかる携帯電話において、前記カバーは前記キー操作部上にあるときには、不透明であるので該キー操作部が該カバーによって覆われていることが確実に認識できる。一方、前記カバーは前記表示部上にあるときには、該表示部の照明によってハーフミラーを通し表示画像が視認できる。従って、前記キー操作部が覆われていることを認識することができることと、前記表示部が覆われていても表示を視認できることとが、共通のカバーの使い分けにより、達成できるのでコスト的に有利である。
【発明を実施するための最良の形態】
【００１８】
以下、本発明の具体例を実施例及び図面を用いて詳細に説明する。但し、以下に示す実施例は、本発明の技術思想を具体化するための携帯電話を例示するものであって、本発明をこの携帯電話に特定することを意図するものではなく、特許請求の範囲に含まれるその他の実施形態の携帯電話にも等しく適用し得るものである。
【実施例】
【００１９】
以下、本発明の実施例について図面を参照して説明する。図１は実施例における携帯電話のテンキーなどを含むキー操作部をカバーで覆った状態を示し、図１Ａはその平面図、図１Ｂはその側面図、図２は実施例における携帯電話のキー操作部を覆った状態から開放して表示部をカバーで覆った状態を示し、図２Ａはその平面図、図２Ｂはその側面図である。
【００２０】
携帯電話１は、全体的に長方形の筐体１０と、筐体１０の平面状の表面１００の下方に配されたキー操作部１１と、同一平面である表面１００の上方に配された表示部１２と、キー操作部１１を覆うためのカバー１３とから形成されている。
【００２１】
キー操作部１１は、テンキー操作部１１０と通話開始キー、通話終了キー、ワンタッチダイヤルキー及びスクロールキー等のワンタッチキー操作部１１１とからなる。
【００２２】
カバー１３は、一端を筐体１０の中央部分における側面１０１に設けた回動軸１４によって回動自在に軸支されている。この回動軸１４は、筐体１０に設けた支持片１４０と、支持片１４０に設けた軸受け孔１４１と、軸受け孔１４１に挿入されるカバー１３に取り付けた軸１４２とから形成されている。そして、カバー１３は表面１００上を回動してキー操作部１１を覆う位置と表示部１２を覆う位置とを選択的に取り得るようになっている。
【００２３】
また、カバー１３は全体的に不透明であるが表示部１２を覆う部分にハーフミラーのレンズ面１３０が設けられている。そして、カバー１３は表示部１２上に位置した状態で表示部１２のバックライトの照明によりハーフミラーを通して表示が可視できると同時に、レンズ面１３０によって拡大されるように構成されている。
【００２４】
上述した本発明の実施例による携帯電話の動作を説明する。携帯電話を使用しないときには、図１で示すように、カバー１３でキー操作部１１を覆っておく。この状態においては、キー操作部１１はカバー１３が不透明であるので外部からは見えない。表示部１２はカバー１３で覆われていないので表示内容を直接に見ることができる。
【００２５】
キー操作部１１を用いてキー操作を行うときには、図２で示すように、カバー１３を持ち上げて回動軸１４を支点として回動させ、この回動動作によって、カバー１３をキー操作部１１から表示部１２へと移動させる。その結果、キー操作部１１はカバー１３で覆われている状態から開放され、テンキー操作部１１０とワンタッチキー操作部１１１の操作を可能とする。
【００２６】
表示部１２はカバー１３によって覆われるが、表示部１２の面がハーフミラーであるためバックライトの照明により外部よりその表示が可視できる。同時に、レンズ面１３０によって表示部１２の文字、記号等が拡大される。
【００２７】
上述した本発明の実施例によれば、携帯電話１はキー操作を行わないときにはカバー１３でもってキー操作部１１を覆っておけばよい。カバー１３はキー操作部１１を覆うことにより塵埃が付着することや塵埃が間隙から筐体１０内に侵入することを防止する。また、カバー１３によってキー操作部１１が見えないので、キー操作部１１が不使用状態になっていることが明確になる。
【００２８】
キー操作を行うときには、カバー１３を回動して表示部１２の方に移動してキー操作部１１を開放し操作を可能とする。この場合、カバー１３は筐体１０から突出することなく筐体１０上に収まっているので、携帯電話１のキー操作の邪魔にならない。同時に、カバー１３は表示部１２に表示された表示画像を拡大して視認可能とするので表示内容が見やすくなる。
【００２９】
カバー１３のキー操作部１１と表示部１２との間の移動は、カバー１３が回動軸１４によって筐体１０に軸支されているので、回動操作だけで行うことができる。
【００３０】
尚、本発明の実施例においては、カバー１３は筐体１０に回動軸１４によって回動自在に設けられている。しかし、本発明においては、これに限定されることなく、カバー１３を筐体１０にキー操作部１１と表示部１２との間を摺動自在にして設けてもよい。
【００３１】
尚、本発明の実施例においては、カバー１３はキー操作部１１を全面的に覆うようにしたが、本発明は、これに限定されることなく、テンキー操作部１１０のみを覆うようにしてワンタッチキー操作部１１１を常に開放状態としてもよい。このように使用頻度の多いワッタッチキー操作部１１１を常に開放しておくことにより操作の便宜を図ることができる。
【００３２】
尚、また、本発明の実施例においては、カバー１３はレンズ面１３０を有するが、本発明はレンズ面を省いたものであってもよい。
【００３３】
尚、また、本発明の実施例においては、カバー１３はハーフミラーで形成したが、本発明はハーフミラーで形成することなくレンズ面を透明な材料で形成したものであってもよい。
【図面の簡単な説明】
【００３４】
【図１】本発明の実施例における携帯電話のテンキー操作部をカバーで覆った状態を示し、図１Ａはその平面図、図１Ｂはその側面図である。
【図２】本発明の実施例における携帯電話のテンキー操作部を覆った状態から開放して表示部をカバーで覆った状態を示し、図２Ａはその平面図、図２Ｂはその側面図である。
【符号の説明】
【００３５】
１              携帯電話
１０            筐体
１１            キー操作部
１２            表示部
１３            カバー
１４            回動軸
１００          表面
１０１          側面
１１０          テンキー操作部
１１１          ワンタッチキー操作部
１３０          レンズ面
１４０          支持片
１４１          軸受け孔
１４２          軸
【図１】
2007318304.tif 000003
【図２】
2007318304.tif 000004